(57)【要約】【課題】ハイヒールの靴を履く際に、爪先の指の付け根部分にかかる体重の負担を軽減させるようにした婦人用ソックスを提供する。【解決手段】ハイヒールの靴を履く際の婦人用ソックス１であって、該ソックス爪先部８の前方足底部６にだけクッション材１０を編成して、厚みを付与したハイヒール用婦人ソックス１を構成するものである。【選択図】図１
0003107088.tif 000002
【実用新案登録請求の範囲】
【請求項１】
ハイヒールの靴を履く際の婦人用ソックスであって、該ソックス爪先側の前方足底部にだけクッション材を付設して、厚みを付与したことを特徴とするハイヒール用婦人ソックス。
【請求項２】
前記クッション材が、、ソックスの通常の編成編地のほかに、別途パイル編に編成し、前記クッション材の両端でパイル糸を切断するようにした請求項１記載のハイヒール用婦人ソックス。
【請求項３】
前記ソックス爪先側が、針上げピッカを作用させる目減らし部まで達している請求項１又は請求項２記載のハイヒール用婦人ソックス。
【考案の詳細な説明】
【技術分野】
【０００１】
本考案は、ハイヒールの靴を履く際の婦人用ソックスに係り、特にハイヒールのブ−ツ履く際に着用するのに最適のハイヒール用婦人ソックスに関するものである。
【背景技術】
【０００２】
女性の人の靴は、殆どが爪先の方より踵の方が高くなっている、所謂ハイヒールになって、爪先に向かって傾斜している。そのため、静止時では体重の７割近くが、また歩行時には１００％の体重が爪先の指の付け根にかかっている。
【０００３】
従来のソックスは、全体が同じ厚みなっているので、指の付け根を保護し、負担を軽減させる機能は備わっていなかった。仮に、この負担を軽減させるために、全体を分厚い生地にしたら、暑苦しく履く方のブーツ自体もサイズの大きなものを選定しなければならず、ファッション的にもすっきりしないものとなってしまう。
【０００４】
そのため女性の人は、パンストの上から、足底を保護するショートソックスを重ね着する人も多かった。しかし、ブーツの場合には、ソックスが脱げてしまうので、ショ−トソックスを利用することもできない。
【０００５】
体重のかかる足底側に、クッションを付設した靴下は公知である（例えば特許文献１）。しかし、クッションは足底の全体に設けたものである。
【特許文献１】特開平９−３１６７０５号公報
【０００６】
この点、靴下の少なくとも１区画に、パイルを形成した靴下の先行技術もある（例えば実用新案文献１）。しかし足底は、全体が１区画になっていて、ハイヒール靴を履く婦人の指先の負担を軽減するものではない。
【特許文献２】実登第３０３７２０７号公報
【０００７】
また足底部の爪先側と踵側に、パイルを形成さした靴下も提案されている（例えば特許文献３）。しかし、この靴下は、シリンダの正逆往復回転による編成にしている。
【特許文献３】特開平９−４１２０２号公報
【０００８】
更に、ハイヒール用の靴下の先行技術もある（例えば特許文献３）。然しこの靴下は、ずり落ち防止を目的としたものである。。
【特許文献４】特開２００２−１４６６０１号公報
【０００９】
更にまた、別のハイヒール用カバ−の先行技術もある（例えば実用新案文献２）。しかし、これは、パンストの足底に履くカバーに関するものである。
【特許文献５】実開平６−３０１０５号公報
【考案の開示】
【考案が解決しようとする課題】
【００１０】
上記の事情に鑑み、本考案は、ハイヒールの靴を履く際に、爪先の指の付け根部分にかかる体重の負担を軽減させるようにした、婦人用ソックスの提供を課題とする。
【課題を解決するための手段】
【００１１】
上記課題を達成するために、本考案は、ハイヒールの靴を履く際の婦人用ソックスであって、該ソックス爪先側の前方足底部にだけクッション材を付設して、厚みを付与したハイヒール用婦人ソックスを構成するものである。
【考案の効果】
【００１２】
本考案のハイヒール用婦人ソックスは、ソックス爪先側の前方足底部にだけクッション材を付設したので、ハイヒールの靴を履いた際に、爪先の指の付け根部分にかかる体重の負担を軽減させることができる。
【００１３】
本考案のハイヒール用婦人ソックスは、ソックス爪先側の前方足底部にだけクッション材を付設したので、ブーツ自体をサイズの大きなものを選定する必要がなくなる。
【００１４】
本考案のハイヒール用婦人ソックスは、ソックス爪先側の前方足底部にだけクッション材を付設したので、ファッション的にもすっきりしたものとなる。
【考案を実施するための最良の形態】
【００１５】
次に本考案の実施例を、以下図面に基づいて説明する。
【実施例１】
【００１６】
図１は、本考案のハイヒール用婦人ソックスを裏返した状態の一実施例を示す平面図である。本実施例のソックス１は、ブ−ツ用の黒色からなる縦縞のハイソックスである。しかし、本考案のハイヒール用婦人ソックスは、用途もブ−ツ用に限られるものではなく、また色や柄も黒や縦縞に限定されるものではなく、ソックスの種類もハイソックスに限定されることなく、タイツやストッキングやオーバーニーや短靴下やアンクレットやフートカバ−にも適用することができ、そのための編成機種も限定されるものではない。
【００１７】
本実施例のソックス１は、Ｋ式編機のメークアップ装置によって、口ゴム部２をダブルウエルトによって二重の袋編３によって綴じている。身部４と、足甲部５と足底部６の大部分は、縦縞によって足形に副って細く締め付けている。踵部７と爪先部８は、無地の平編になっいる。そして９は、リンキングの縫製箇所である。
【００１８】
本考案のハイヒール用婦人ソックス１は、ソックス爪先部８の前方足底部６にだけ、クッション材１０を編成している。本実施例のクッション材１０は、パイル編Ｐからなっている。すなわち、シンカーにはシンカーループを形成する地糸形成部と地糸形成部より高いパイル糸を形成するパイル形成部が設けられ、シンカーをニードル間へ進退駆動するカムを制御することによってパイル編Ｐを編成する。
なお、ソックスの通常の編成編地のほかに、別途クッション材１０をパイル編Ｐに編成し、クッション材１０の両端でパイル糸を切断１１するようにしてもよい。このパイル編Ｐは一例であって、クッション材１０はパイル編Ｐに限定されるものではなく、編地あるいは弾性シ−トを接着するようにしてもよい。
【００１９】
本実施例のソックス１の編地は、踵部７と爪先部８の平編が０．６ｍｍ厚であり、身部４等の縦縞編地が０．９ｍｍ厚であるのに対し、クッション材１０の部分は１．８５ｍｍ厚にしている。このようにクッション材１０の部分は、２倍以上の厚みを付与して、体重の負担を受け止めうるようにしている。
【００２０】
なおクッション材１０の位置は、ソックス爪先部の前方足底部としているが、図１に示すように、従来の靴下の爪先側で針上げピッカを作用する目減らし部まで達しており、足底部というよりは爪先の指の付け根部分を保護するようにしている。従って、実施例で寸法を具体的にいうと、爪先の先端からの距離Ｌが僅か２ｃｍの位置から、７ｃｍ長のクッション材１０を編成している。そのため、爪先部の指の付け根部分が、クッション材１０によって完全に保護される。
【産業上の利用可能性】
【００２１】
本発明の靴下は、ブ−ツ他のハイヒールを履く際の婦人用ソックスとして、タイツやストッキングやオーバーニーやハイソックスや短靴下やアンクレットやフートカバーに広く利用することのできるものである。
【図面の簡単な説明】
【００２２】
【図１】本考案のハイヒール用婦人ソックスを裏返した状態の一実施例を示す平面図である。
【符号の説明】
【００２３】
１    ソックス
２    口ゴム部
３    袋編
４    身部
５    足甲部
６    足底部
７    踵部
８    爪先部
９    縫製箇所
１０  クッション材
１１  切断したパイル糸
Ｌ    爪先からクッション材までの距離
Ｐ    パイル編
【図１】
0003107088.tif 000003